(57)【特許請求の範囲】
【請求項１】
各々が乗りかご本体、扉及び前記扉を施錠する施錠装置を含む複数の乗りかごと、
前記複数の乗りかごを支持する回転輪と、
前記回転輪を回転させる駆動装置と、
前記施錠装置の状態を検知する検知装置と、を備え、
前記検知装置は、
前記複数の乗りかごが周回する軌道外に設けられた反射型光電センサと、
前記複数の乗りかごにそれぞれ設けられた複数の反射部材と、
判定部と、を含み、
前記反射型光電センサは、
前記複数の乗りかごのうち所定位置に到達した対象乗りかごへ投光する機能と、
前記対象乗りかごに設けられた前記施錠装置が開錠状態である場合又は施錠状態である場合のいずれか一方の場合にのみ、前記複数の反射部材のうち前記対象乗りかごに設けられた対象反射部材で反射される光を検出する機能と、を有し、
前記判定部は、前記反射型光電センサでの検出結果を用いて前記施錠装置が開錠状態であるか否かを判定する
ことを特徴とする観覧車。
【請求項２】
前記反射型光電センサは、前記対象乗りかごに設けられた前記施錠装置が開錠状態である場合にのみ、前記対象反射部材で反射される光を検出する機能を有し、
前記施錠装置は、
掛金と、受金と、を含み、
前記掛金が回転又は変位して前記受金に掛けられることにより前記扉を施錠し、
前記複数の反射部材の各々は、前記掛金に設けられており、
前記受金は、前記反射型光電センサからの光が照射される照射部を含み、
前記対象反射部材は、前記対象乗りかごに設けられた前記施錠装置が施錠状態である場合に前記反射型光電センサから投光される光の光軸上において前記照射部よりも前記反射型光電センサから離れた位置で前記照射部と重なり、
前記対象反射部材は、前記対象乗りかごに設けられた前記施錠装置が開錠状態である場合に前記反射型光電センサから投光される光を反射するように設けられている
ことを特徴とする、請求項１記載の観覧車。
【請求項３】
前記掛金は、前記乗りかご本体に設けられており、
前記受金は、前記扉に設けられている
ことを特徴とする、請求項２記載の観覧車。
【請求項４】
プラットフォームを更に備え、
前記反射型光電センサは、前記プラットフォームに設けられている
ことを特徴とする請求項１〜３のいずれか一項に記載の観覧車。
【請求項５】
前記複数の反射部材のうちの少なくとも１つはテープ状であることを特徴とする請求項１〜４のいずれか一項に記載の観覧車。
【請求項６】
前記複数の乗りかごのいずれかが前記所定位置に到達したとき前記反射型光電センサに投光を開始させる制御部を更に備えることを特徴とする請求項１〜５のいずれか一項に記載の観覧車。
【請求項７】
前記複数の乗りかごのいずれかが前記所定位置に到達したことを検出する位置検出器を更に備えることを特徴とする請求項６記載の観覧車。
【請求項８】
プラットフォームを更に備え、
前記位置検出器は、前記プラットフォームにおいて、前記複数の乗りかごが周回する軌道面に対して、前記複数の乗りかごへの乗込み位置とは反対側に位置する
ことを特徴とする請求項７記載の観覧車。
【請求項９】
前記施錠装置が開錠状態であることを報知する報知器を更に備えることを特徴とする請求項１〜８のいずれか一項に記載の観覧車。
【請求項１０】
観覧車の複数の乗りかごが周回する軌道外に設けられた反射型光電センサと、
前記複数の乗りかごにそれぞれ設けられた複数の反射部材と、
判定部と、を備え、
前記複数の乗りかごは各々が乗りかご本体、扉及び前記扉を施錠する施錠装置を含み、
前記反射型光電センサは、
前記複数の乗りかごのうち所定位置に到達した対象乗りかごへ投光する機能と、
前記対象乗りかごに設けられた前記施錠装置が開錠状態である場合又は施錠状態である場合のいずれか一方の場合にのみ、前記複数の反射部材のうち前記対象乗りかごに設けられた対象反射部材で反射される光を検出する機能と、を有し、
前記判定部は、前記反射型光電センサでの検出結果を用いて前記施錠装置が開錠状態であるか否かを判定する
ことを特徴とする検知装置。
【発明の詳細な説明】
【技術分野】
【０００１】
本発明は一般に、観覧車、及び検知装置に関し、より詳細には、乗りかごの施錠装置の状態を検知する観覧車、及び検知装置に関する。
【背景技術】
【０００２】
従来例として特許文献１記載の観覧車を例示する。特許文献１記載の観覧車では、ゴンドラ（乗りかご）ごとに検知スイッチが備えられている。ゴンドラのドア（扉）が開錠されていると、ドアを施錠するロック機構（施錠装置）に設けられた検知スイッチによってドアの開錠状態が検知される。
【先行技術文献】
【特許文献】
【０００３】
【特許文献１】実公昭６３−４４０７９号公報
【発明の概要】
【発明が解決しようとする課題】
【０００４】
しかしながら、特許文献１記載の観覧車では、検知スイッチを各ゴンドラに組み込む必要がある。そのため、各ゴンドラの構成が複雑になるという問題があった。さらに、既存の観覧車に設置しようとすると、各ゴンドラを大幅に改造する必要があった。
【０００５】
本発明では、各乗りかごの構成を複雑にすることなく、乗りかごの施錠装置の状態を検知することができる観覧車、及び、検知装置を提供することを目的とする。
【課題を解決するための手段】
【０００６】
上記の課題を解決するために、本発明の一態様に係る観覧車は、複数の乗りかごと、回転輪と、駆動装置と、検知装置と、を備える。前記複数の乗りかごの各々は、乗りかご本体、扉及び施錠装置を含む。前記施錠装置は前記扉を施錠する。前記回転輪は前記複数の乗りかごを支持する。前記駆動装置は前記回転輪を回転させる。前記検知装置は前記施錠装置の状態を検知する。前記検知装置は、反射型光電センサと、複数の反射部材と、判定部と、を含む。前記反射型光電センサは、前記複数の乗りかごが周回する軌道外に設けられている。前記複数の反射部材は、前記複数の乗りかごにそれぞれ設けられている。前記反射型光電センサは、前記複数の乗りかごのうち所定位置に到達した対象乗りかごへ投光する機能を有する。前記反射型光電センサは、前記対象乗りかごに設けられた前記施錠装置が開錠状態である場合又は施錠状態である場合のいずれか一方の場合にのみ、前記複数の反射部材のうち前記対象乗りかごに設けられた対象反射部材で反射される光を検出する機能を有する。前記判定部は、前記反射型光電センサでの検出結果を用いて前記施錠装置が開錠状態であるか否かを判定する。
【０００７】
本発明の一態様に係る検知装置は、反射型光電センサと、複数の反射部材と、判定部と、を備える。前記反射型光電センサは、観覧車の複数の乗りかごが周回する軌道外に設けられている。前記複数の反射部材は、前記複数の乗りかごにそれぞれ設けられている。前記複数の乗りかごの各々は、乗りかご本体、扉及び前記扉を施錠する施錠装置を含む。前記反射型光電センサは、前記複数の乗りかごのうち所定位置に到達した対象乗りかごへ投光する機能を有する。前記反射型光電センサは、前記対象乗りかごに設けられた前記施錠装置が開錠状態である場合又は施錠状態である場合のいずれか一方の場合にのみ、前記複数の反射部材のうち前記対象乗りかごに設けられた対象反射部材で反射される光を検出する機能を有する。前記判定部は、前記反射型光電センサでの検出結果を用いて前記施錠装置が開錠状態であるか否かを判定する。
【発明の効果】
【０００８】
本発明の観覧車は、各乗りかごに反射部材が設けられ、反射型光電センサが乗りかごが周回する軌道外に設けられているので、各乗りかごの構成を複雑にすることなく、乗りかごの施錠装置の状態を検知することができる。
【図面の簡単な説明】
【０００９】
【図１】図１は、本発明の実施形態に係る観覧車の施錠装置の開錠状態における正面図である。
【図２】図２は、同上の施錠装置の施錠状態における正面図である。
【図３】図３は、同上の観覧車の正面図である。
【図４】図４は、図３のＸ１における拡大図である。
【図５】図５は、同上の観覧車の乗りかごの正面図である。
【図６】図６は、図２のＡ−Ａ線断面図である。
【図７】図７は、図２のＢ−Ｂ線断面図である。
【図８】図８は、同上の観覧車の所定位置における乗りかごの側面図である。
【図９】図９は、同上の観覧車の要部のブロック図である。
【図１０】図１０Ａは、本発明の実施形態の変形例１に係る観覧車の施錠装置の正面図である。図１０Ｂは、本発明の実施形態の変形例３に係る観覧車の施錠装置の正面図である。
【図１１】図１１は、本発明の実施形態の変形例４に係る観覧車の施錠装置の正面図である。
【発明を実施するための形態】
【００１０】
（実施形態）
以下、本発明の実施形態に係る観覧車、及び、検知装置について、図面を用いて説明する。なお、以下の説明においては特に断りのない限り、図３における上下の向きを観覧車１の上下の向きと規定し、図３における左右の向きを観覧車１の左右の向きと規定する。また、図３における紙面の手前に向かう向きを観覧車１の前向きと規定し、図３における紙面の奥に向かう向きを観覧車１の後向きと規定する。
【００１１】
本実施形態に係る観覧車１は、図３に示すように、支柱１１と、回転輪２と、駆動装置２２と、複数の乗りかご４と、プラットフォーム７と、を備えている。また、観覧車１は、図９に示すように、位置検出器８３と、検知装置６と、制御部８０と、報知器８４と、を更に備えている。図３に示すように、支柱１１は地面などの設置面１２に立てられている。回転輪２は同心円状・網目状の骨格からなる円板状であり、円周付近に等間隔に配置された複数の乗りかご４を支持している。回転輪２は回転軸２１において支柱１１に支持されている。駆動装置２２は回転輪２を、回転軸２１を中心として回転させる。回転輪２は図３における時計回りに回転する。
【００１２】
プラットフォーム７は、回転輪２の回転に伴って周回する乗りかご４の軌道の下方及び乗りかご４の軌道の下方の周辺に設けられている。プラットフォーム７は左右方向の中央付近に乗込み位置７２を有しており、搭乗者は乗込み位置７２から乗りかご４に乗り降りすることができる。また、図８に示すように、プラットフォーム７は右から見ると段差を有していて凹状である。すなわち、プラットフォーム７は、第一の上段７３と、第二の上段７４と、第一の上段７３及び第二の上段７４の間に位置する乗りかご通路７５と、を有する。乗りかご４は乗りかご通路７５の上方を通過する。乗込み位置７２は第一の上段７３の、左右方向の中央付近の位置である。
【００１３】
複数の乗りかご４はそれぞれ同一の構成である。図５に示すように、各乗りかご４は、乗りかご本体４１と、扉４２と、扉４２を施錠する複数（本実施形態においては２つ）の施錠装置５と、を備えている。乗りかご本体４１は前方から見ると略円形の、略円柱状であり、内部に空間を有している。また、乗りかご本体４１は乗降口４３を有している。乗降口４３は乗りかご本体４１の前方に設けられた矩形状の開口であって、搭乗者は乗降口４３から乗りかご本体４１の内部の空間に入ったり、乗降口４３から乗りかご４の外へ出たりすることができる。また、乗降口４３には、乗降口４３を開閉可能な扉４２が設けられている。
【００１４】
扉４２は折り戸である。扉４２は、閉じた状態において上下方向に長尺の矩形平板状であり、乗降口４３を塞いでいる。扉４２には取っ手４２３が設けられている。扉４２は、長尺方向に沿った第一の辺４２４において乗りかご本体４１に取り付けられている。扉４２は、取っ手４２３を掴んで押したり引いたりされることにより、第一の辺４２４の側へ折り畳まれるようにして変位し、乗降口４３が現れるように構成されている。つまり、扉４２が開く。また、扉４２は開いた状態において取っ手４２３を掴んで押したり引いたりされることにより、扉４２が開くときとは逆に、折り畳まれた扉４２が展開されるようにして変位し、乗降口４３を塞ぐよう構成されている。つまり、扉４２が閉まる。
【００１５】
複数の施錠装置５の各々は、扉４２が閉じた状態における長尺方向（上下方向）に沿った第二の辺４２５の近傍において、乗りかご本体４１及び扉４２に渡って設けられている。複数の施錠装置５は、上下方向に並んで設けられている。複数の施錠装置５はそれぞれ同一の構成である。各施錠装置５は、例えばステンレス鋼などを素材として形成されている。各施錠装置５は、乗りかご４の外側から施錠されたり、開錠されたりする。図１に示すように、施錠装置５は、掛金５１と、受金５５と、掛金５１の取付部材５２と、受金５５の取付部材５６と、を備えている。
【００１６】
掛金５１の取付部材５２は矩形平板状である。取付部材５２は３つの孔を有しており、上記３つの孔のそれぞれにボルト５２４が挿入されている。取付部材５２は更に１つの孔を有しており、上記孔にボルト５２５が挿入されている。取付部材５２はボルト５２５及び３つのボルト５２４によって乗りかご本体４１に固定されている。ボルト５２５は取付部材５２から乗りかご本体４１の外側へ向かって突出している。また、図７に示すように、取付部材５２は更に孔５２３を有している。
【００１７】
図１に示すように、掛金５１は掛金本体５１４とレバー５１５とを有している。掛金本体５１４は長尺の矩形平板状である。レバー５１５は矩形平板状であり、掛金本体５１４と一体に形成されている。掛金本体５１４は長尺方向の先端付近に孔５１３を有しており、孔５１３と、掛金５１の取付部材５２の孔５２３と、にはピン５２０が通されている。掛金５１は、ピン５２０により取付部材５２に取り付けられており、掛金５１は、取付部材５２に対して孔５１３を中心に回転可能である。掛金５１は回転途中でボルト５２５に接触して回転が停止する。レバー５１５は掛金本体５１４において、孔５１３が設けられている側とは反対側の長尺方向の先端から、掛金５１の取付部材５２が位置する側とは反対側に向かって掛金本体５１４に垂直に突出するように設けられている。
【００１８】
図６に示すように、受金５５の取付部材５６は直方体状である。取付部材５６は、ボルト止めにより扉４２に固定されている。
【００１９】
受金５５は、受部５５２と、照射部５５１と、接続部５５３と、突出部５７とを備えている。受部５５２と、照射部５５１と、接続部５５３と、突出部５７とは、一体に形成されている。受部５５２は円弧曲面からなる板状である。受部５５２の第一端からは、矩形平板状の照射部５５１が突出するように設けられている。受部５５２の第二端からは、矩形平板状の接続部５５３が突出するように設けられている。照射部５５１及び接続部５５３は受部５５２からそれぞれ同じ向きに延びている。受金５５は面５５８において取付部材５６に溶接されている。さらに、照射部５５１には、受部５５２から突出する向きに沿った一辺の一部から、接続部５５３が位置する側とは反対側へ突出するように突出部５７が設けられている。突出部５７は、照射部５５１において、掛金５１の取付部材５２が位置する側とは反対側の一辺に設けられている。突出部５７は略矩形平板状である。
【００２０】
図１に示すように、扉４２が閉じた状態において掛金５１は孔５１３を回転中心として回転することにより、図２、図６及び図７に示すように、掛金本体５１４が受金５５の受部５５２に掛けられる。つまり、掛金本体５１４は照射部５５１と接続部５５３との間に位置する。これにより扉４２は開かなくなる。すなわち、施錠装置５により扉４２が施錠される。一方で、施錠するときとは反対の向きに掛金本体５１４を回転することにより、図１に示すように掛金５１が受金５５から外れて、扉４２は開くことができるようになる。すなわち、施錠装置５により扉４２が開錠される。
【００２１】
図８に示すように、位置検出器８３はプラットフォーム７に設けられている。より詳細には、乗りかご４が周回する軌道面に対して、乗りかご４への乗込み位置７２とは反対側である第二の上段７４に設けられている。乗りかご４が周回する軌道面とは、回転輪２の回転に伴って乗りかご４の前後方向の後面が回転して描く、正面視において略円形の面である。乗りかご４がプラットフォーム７の所定位置７１（図３参照）に到達すると、乗りかご４は位置検出器８３の検出範囲に入るので、位置検出器８３は乗りかご４を検出する。プラットフォーム７における所定位置７１は、乗込み位置７２（図３参照）を通過した後で乗りかご４が到達する位置である。ここで、乗りかご４が所定位置７１に到達するとは、乗りかご４の進行方向の先端が所定位置７１に到達することであるとする。図３において回転輪２は時計回りに回転するので、図３では所定位置７１は乗込み位置７２より左側である。位置検出器８３としては超音波センサが用いられている。位置検出器８３は超音波を発信する部分及び超音波を検出する部分が、乗りかご４の軌道面を向いて設けられている。なお、位置検出器８３は別の場所に設けられていてもよい。位置検出器８３は、例えばプラットフォーム７における第一の上段７３に設けられていてもよい。また、位置検出器８３としては超音波センサに代えて、他の方式のセンサが用いられてもよい。位置検出器８３としては、例えば、光や電波などが検出対象に当たって遮断又は反射されることにより検出対象を検出するセンサなどが用いられてもよい。このようなセンサの例として、透過型光電センサ、回帰反射型光電センサ、拡散反射型光電センサなどがある。あるいは、位置検出器８３としてはリミットスイッチなどの接触式のセンサが用いられてもよい。
【００２２】
検知装置６は、図９に示すように、２つのセンサ部３と、複数の反射部材６９と、判定部６２２と、を備えている。各々のセンサ部３は、１又は複数（本実施形態においては３台）の反射型光電センサ６０を備えている。なお、図９においては各センサ部３が備えている３台の反射型光電センサ６０のうち、２台のみを図示している。複数の反射型光電センサ６０はそれぞれ同一の構成である。また、１つのセンサ部３につき対応する１つの反射部材６９が、乗りかご４ごとに設けられている。センサ部３について言う「対応する」の意味は、次の通りである。図８に示すように、各センサ部３は、その備えている反射型光電センサ６０により、各乗りかご４の施錠装置５に設けられている複数（２つ）の反射部材６９のうちの１つへ光を投光する機能を有しており、当該センサ部３から光を投光される反射部材６９が、当該センサ部３に対応するのである。また、センサ部３に対応する反射部材６９が設けられている施錠装置５は、そのセンサ部３に対応する。
【００２３】
図９に示すように、複数の反射型光電センサ６０はそれぞれ、光を発する投光部６１と、光を検出する受光部６２とを有している。反射型光電センサ６０は回帰反射型光電センサであり、投光部６１から投光されて、反射部材６９で反射される光のみを受光部６２で検出する。１台の反射型光電センサの投光部６１及び受光部６２は互いに近接して設けられている。判定部６２２は、複数の反射型光電センサ６０がそれぞれ有する受光部６２での検出結果を用いて、各々の施錠装置５が開錠状態であるか否かを判定する。具体的には、判定部６２２は、例えば、各センサ部３における各受光部６２で光が検出されたか否かによって、各センサ部３に対応する施錠装置５が開錠状態であるか否かを判定する。１台の乗りかご４について施錠装置５がいずれか１つでも開錠状態である、と、判定部６２２において判定された場合、判定部６２２は報知器８４の動作を開始させるための信号９２を報知器８４に送信する。
【００２４】
図８に示すように、２つのセンサ部３はプラットフォーム７にそれぞれ設けられている。乗りかご４において２つの施錠装置５が上下方向に並んで設けられていることに対応して、２つのセンサ部３は、上下方向に並んで設けられている。図４に示すように、２つのセンサ部３が設けられている位置は、所定位置７１の近傍であって、所定位置７１と乗込み位置７２との間である。また、図８に示すように、２つのセンサ部３が設けられている位置は、乗りかご４の軌道面に対して、乗込み位置７２がある側と同じ側の第一の上段７３である。さらに、投光部６１及び受光部６２は、乗りかご４の軌道面の方を向いており、その向きは当該軌道面に垂直である。これにより、乗りかご４が所定位置７１に到達したとき、前後方向から見て各々の反射型光電センサ６０は、対応する施錠装置５の一部と略重なり、各々の反射型光電センサ６０の投光部６１から投光される光の光軸６３は前後方向に沿う。
【００２５】
複数の反射部材６９はそれぞれが、投光部６１からの光を反射する。反射部材６９はテープ状である。すなわち、反射部材６９は厚みが小さい。図１に示すように、反射部材６９は施錠装置５の掛金本体５１４において、掛金５１の取付部材５２が位置する側（後側）とは反対側の面（前側）に設けられている。また、図２、図６及び図７に示すように、施錠装置５が扉４２を施錠した状態のとき、反射部材６９は受金５５の照射部５５１と掛金本体５１４との間に位置する。
【００２６】
図９に示す制御部８０は、反射型光電センサ６０の投光部６１に投光を開始及び停止させる機能を有している。具体的には、乗りかご４が所定位置７１に到達したことを位置検出器８３が検出すると、制御部８０は位置検出器８３から信号を受信して、各々の投光部６１に投光を開始させる。また、位置検出器８３が乗りかご４を検出しなくなることにより位置検出器８３から制御部８０へ信号が送信されなくなると、制御部８０は、反射型光電センサ６０に投光を停止させる。
【００２７】
乗りかご４が所定位置７１に到達したとき、図１及び図２に示すように、１つのセンサ部３における３台の反射型光電センサ６０から投光される光の照射範囲６４は、対応する１つの反射部材６９が設けられている掛金５１において、反射部材６９が設けられている位置を含む。
【００２８】
図９に示す報知器８４は、判定部６２２から信号９２を受信すると、施錠装置５が開錠状態であることを音声や光で報知する。具体的には、報知器８４が備えるブザーが鳴り、報知器８４が備える表示灯が点灯することによって、施錠装置５が開錠状態であることが観覧車１の係員に知らされる。
【００２９】
次に、本実施形態の観覧車１において、検知装置６が施錠装置５の状態を検知する方法について説明する。なお、上述の通り、観覧車１において検知装置６のセンサ部３は２つ備えられており、１つのセンサ部３につき対応する各１つの施錠装置５及び反射部材６９が、乗りかご４ごとに設けられている。そこで、各々のセンサ部３及びセンサ部３が備える各々の反射型光電センサ６０は、対応する施錠装置５及び反射部材６９との間で以下の内容が行われる。
【００３０】
乗りかご４が所定位置７１に到達したとき、反射型光電センサ６０の投光部６１は反射部材６９に向かって光を投光する。図１に示すように、該当する乗りかご４の施錠装置５が開錠状態である場合は、投光部６１からの光は反射部材６９を照射する。そのため、反射部材６９は投光部６１からの光を反射する。反射型光電センサ６０の受光部６２は、反射部材６９で反射された光を検出する。各センサ部３におけるいずれかの受光部６２が光を検出した場合に、判定部６２２は、該当するセンサ部３に対応する施錠装置５が開錠状態であると判定する。判定部６２２が、全て（２つ）の施錠装置５のうち１つでも開錠状態であると判定すると、判定部６２２は、報知器８４が動作を開始するための信号９２を報知器８４に送信する。報知器８４は信号９２を受信すると、施錠装置５が開錠状態であることを報知する。
【００３１】
同様に、乗りかご４が所定位置７１に到達したとき、図２に示すように、該当する乗りかご４の施錠装置５が施錠状態である場合は、投光部６１からの光は光軸６３上で反射部材６９の手前に位置する照射部５５１を照射するため、反射部材６９を照射しない。そのため、反射部材６９は投光部６１からの光を反射せず、受光部６２において光が検出されない。各センサ部３において、いずれの受光部６２においても光が検出されなかった場合に、判定部６２２は、該当するセンサ部３に対応する施錠装置５が開錠状態ではないと判定する。
【００３２】
乗りかご４が所定位置７１に到達していないときに投光部６１が投光した場合は、光軸６３上に反射部材６９が存在しないために反射部材６９は投光部６１からの光を反射しない。いずれの受光部６２においても光が検出されないので、判定部６２２は、いずれの施錠装置５も開錠状態ではないと判定する。
【００３３】
次に、本実施形態に係る観覧車１及び検知装置６の有する効果について説明する。上述の通り、本実施形態の観覧車１において、検知装置６は、反射型光電センサ６０と、複数の反射部材６９と、判定部６２２と、を含む。複数の乗りかご４にはそれぞれ反射部材６９が設けられている。反射型光電センサ６０は、所定位置７１に到達した乗りかご４へ投光する機能を有する。反射型光電センサ６０は、施錠装置５が開錠状態である場合又は施錠状態である場合のいずれか一方の場合にのみ、所定位置７１に到達した乗りかご４に設けられた反射部材６９で反射される光を検出する機能を有する。判定部６２２は、反射型光電センサ６０での検出結果を用いて施錠装置５が開錠状態であるか否かを判定する。
【００３４】
本実施形態に係る観覧車１及び検知装置６は上述のように構成されているので、乗りかご４の施錠装置５の状態を検知するために乗りかご４に設けるべき部材の数が少ない。また、乗りかご４の構成が、施錠装置５を備えていない一般的な乗りかごと比較しても、複雑ではない。しかも、多くの場合、既存の乗りかご４は施錠装置５を有するので、その場合は既存の乗りかご４に反射部材６９を設けることのみによって上記の構成を実現できる。したがって、検知装置６は既存の乗りかご４に後付けすることが容易である。
【００３５】
また、本実施形態に係る観覧車１において、反射部材６９は掛金５１に設けられている。所定位置７１に到達した乗りかご４に設けられている施錠装置５が施錠状態である場合に、該当する乗りかご４に設けられている反射部材６９は、反射型光電センサ６０から投光される光の光軸６３上において照射部５５１よりも反射型光電センサ６０から離れた位置で照射部５５１と重なる。所定位置７１に到達した乗りかご４に設けられている施錠装置５が開錠状態である場合に、該当する乗りかご４に設けられている反射部材６９は、反射型光電センサ６０から投光される光を反射するように設けられている。したがって、反射型光電センサ６０は、施錠装置５が開錠状態である場合にのみ、反射部材６９で反射される光を検出する。
【００３６】
本実施形態に係る観覧車１は上述のように構成されるので、施錠装置５が開錠状態であって、乗りかご４が所定位置７１に到達したときは、検知装置６は施錠装置５が開錠状態であると検知する。一方で、施錠装置５が施錠状態であって、乗りかご４が所定位置７１に到達したときは、検知装置６は施錠装置５の状態を開錠状態として検知しない。乗りかご４が所定位置７１に到達していないときに反射型光電センサ６０が投光した場合は、検知装置６は施錠装置５の状態を開錠状態として検知しない。すなわち、乗りかご４が所定位置７１に到達していて、尚かつ施錠装置５が開錠状態であるときにのみ、検知装置６は施錠装置５が開錠状態であると検知する。そもそも、乗りかご４が所定位置７１に到達していないときは施錠装置５が開錠状態であるか否かは検知することができないので、施錠装置５に異常が生じていないとして扱ってよい。上述の構成では、乗りかご４が所定位置７１に到達していないときに反射型光電センサ６０が投光すると、検知装置６は施錠装置５の状態を開錠状態として検知しないので、施錠装置５に異常が生じていないとして扱うことができる。さらに、反射部材６９は掛金５１に設けられているので、既存の施錠装置５に後付けする場合にも設置スペースを確保することが容易である。
【００３７】
また、本実施形態に係る観覧車１において、掛金５１は、乗りかご本体４１に設けられており、受金５５は、扉４２に設けられている。
【００３８】
本実施形態に係る観覧車１は上述のように構成されるので、扉４２が開いている状態においても、乗りかご本体４１に対して掛金５１の回転中心（孔５１３）の位置が固定である。したがって、乗りかご４が所定位置７１に到達したとき、扉４２が開いていると、掛金５１に設けられている反射部材６９は反射型光電センサ６０からの光を反射する。反射型光電センサ６０が光を検出するので、判定部６２２は施錠装置５が開錠状態であると判定する。すなわち、乗りかご４が所定位置７１に到達したときに扉４２が開いているという異常な事態である場合も、施錠装置５が開錠状態である場合と同様に検知装置６により異常を検知することができる。
【００３９】
また、本実施形態に係る観覧車１は、プラットフォーム７を備え、反射型光電センサ６０はプラットフォーム７に設けられている。
【００４０】
本実施形態に係る観覧車１は上述のように構成されるので、検知装置６はプラットフォーム７において施錠装置５が開錠状態であるか否かを検知することができる。また、反射型光電センサ６０は低所に設けられているので整備が容易である。
【００４１】
また、本実施形態に係る観覧車１において、反射部材６９はテープ状である。
【００４２】
乗りかご４において反射部材６９が設けられるべき位置は、施錠装置５が開錠状態又は施錠状態のときに反射部材６９以外の部材に近接する場合がある。本実施形態においては、具体的には、図７に示すように、反射部材６９が設けられている位置は施錠状態において照射部５５１及び接続部５５３に近接する。本実施形態のように反射部材６９がテープ状であれば、反射部材６９は施錠装置５による扉４２の施錠や開錠の妨げになりにくい。したがって、乗りかご４に反射部材６９が設けられた状態において施錠装置５は扉４２を開錠及び施錠することが容易である。
【００４３】
また、本実施形態に係る観覧車１は、乗りかご４が所定位置７１に到達したとき反射型光電センサ６０に投光を開始させる制御部８０を備える。
【００４４】
本実施形態に係る観覧車１は上述のように構成されるので、乗りかご４が所定位置７１に到達しているときにのみ反射型光電センサ６０に投光させることができる。そのため、反射型光電センサ６０が投光する時間が短くなり、反射型光電センサ６０の劣化を抑制することができる。
【００４５】
また、本実施形態に係る観覧車１は、乗りかご４が所定位置７１に到達したことを検出する位置検出器８３を備える。
【００４６】
本実施形態に係る観覧車１は上述のように構成されるので、位置検出器８３が所定位置７１に到達した乗りかご４を検出することに対応して、制御部８０は反射型光電センサ６０に投光を開始又は停止させることができる。したがって、位置検出器８３を採用することで、検知装置６による施錠装置５の状態の検知精度を向上させることができる。
【００４７】
また、本実施形態に係る観覧車１において、位置検出器８３は、プラットフォーム７において乗りかご４が周回する軌道面に対して乗りかご４への乗込み位置７２とは反対側に位置する。
【００４８】
本実施形態に係る観覧車１は上述のように構成されるので、位置検出器８３は乗込み位置７２から離れている。さらに、図８に示すように、プラットフォーム７において乗込み位置７２がある第一の上段７３の側から見ると、位置検出器８３は周回する乗りかご４により時折隠れる。したがって、位置検出器８３が目立ちにくく、観覧車１の美観が保たれる。また、位置検出器８３は低所であるプラットフォーム７に設けられているので整備が容易である。
【００４９】
また、本実施形態に係る観覧車１は、施錠装置５が開錠状態であることを報知する報知器８４を備える。
【００５０】
本実施形態に係る観覧車１は上述のように構成されるので、施錠装置５が開錠状態であることが係員に知らされて、係員は施錠装置５により扉４２を施錠する、あるいは、駆動装置２２を停止するなどの対応を取ることができる。
【００５１】
（変形例１）
次に、本実施形態の変形例１について説明する。変形例１において、図１０Ａに示すように、複数の反射部材６９ａの各々は乗りかご本体４１ａ又は掛金５１ａの取付部材５２ａに設けられている。所定位置７１に到達した乗りかご４において施錠装置５ａが施錠状態である場合（図１０Ａで掛金５１ａが実線で示す位置にあるとき）に、所定位置７１に到達した乗りかご４に設けられた反射部材６９ａは、反射型光電センサ６０から投光される光の光軸６３上において、所定位置７１に到達した乗りかご４に設けられた掛金５１ａよりも反射型光電センサ６０から離れた位置で掛金５１ａと重なる。すなわち、反射型光電センサ６０からの光は掛金５１ａにより遮られて、反射部材６９ａを照射しない。施錠装置５ａが開錠状態である場合（図１０Ａで掛金５１ａが仮想線で示す位置にあるとき）に、所定位置７１に到達した乗りかご４に設けられた反射部材６９ａは、反射型光電センサ６０から投光される光を反射する。
【００５２】
反射部材６９ａは、例えば、乗りかご本体４１ａに設けられている。より詳細には、反射部材６９ａは、掛金本体５１４ａの後方であって、掛金５１ａの取付部材５２ａと受金５５ａとの間に位置する。このように、反射部材６９ａは、扉４２ａが開閉するときに変位しない位置に設けられていることが好ましい。そうすることで、乗りかご４が所定位置７１に到達して、扉４２ａが開いているときであっても、反射型光電センサ６０からの光が反射部材６９ａで反射される。すなわち、扉４２ａが開いている場合に、検知装置６は、施錠装置５ａが開錠状態である場合と同様に異常として検知する。
【００５３】
変形例１に係る観覧車１のその他の構成は、本実施形態における観覧車１と同様である。
【００５４】
乗りかご４が所定位置７１に到達したとき、センサ部３の反射型光電センサ６０の照射範囲６４ａは、反射部材６９ａが設けられている位置を含む。施錠装置５ａが施錠状態のときは、センサ部３からの光は掛金５１ａに遮られて、反射部材６９ａはセンサ部３からの光を反射しないので、センサ部３は光を検出しない。したがって、判定部６２２は、施錠装置５ａが開錠状態ではないと判定する。施錠装置５ａが開錠状態のときは、反射部材６９ａはセンサ部３からの光を反射して、センサ部３は反射部材６９ａで反射された光を検出する。したがって、判定部６２２は、施錠装置５ａが開錠状態であると判定する。
【００５５】
（変形例１の効果）
変形例１においても、本実施形態と同様に、施錠装置５ａが開錠状態であって、乗りかご４が所定位置７１に到達したときは、検知装置６は、施錠装置５ａが開錠状態であると検知する。一方で、施錠装置５ａが施錠状態であって、乗りかご４が所定位置７１に到達したときは、検知装置６は、施錠装置５ａの状態を開錠状態として検知しない。乗りかご４が所定位置７１に到達していないときに反射型光電センサ６０が投光した場合は、検知装置６は、施錠装置５ａの状態を開錠状態として検知しない。
【００５６】
すなわち、乗りかご４が所定位置７１に到達していて、尚かつ施錠装置５ａが開錠状態であるときにのみ、検知装置６は施錠装置５ａが開錠状態であると検知する。また、乗りかご４が所定位置７１に到達していないときに反射型光電センサ６０が投光すると、検知装置６は、施錠装置５ａの状態を開錠状態として検知しないので、施錠装置５ａに異常が生じていないとして扱うことができる。
【００５７】
また、図１０Ａにおいてセンサ部３の反射型光電センサ６０から投光される光の照射範囲６４ａは、反射部材６９ａを中心としている。そして、反射部材６９ａは、例えば乗りかご本体４１ａに設けられている。掛金５１ａと異なって、乗りかご本体４１ａは、施錠装置５ａが施錠状態であるときと開錠状態であるときとの間で変位しない。そのため、反射部材６９ａが掛金５１ａに設けられているときと比較して、照射範囲６４ａが小さい場合でも、乗りかご４が所定位置７１に到達したとき、照射範囲６４ａは、反射部材６９ａが設けられている部分を含む。したがって、変形例１においては、センサ部３がそれぞれ備える反射型光電センサ６０の個数を減らすことができる。
【００５８】
（変形例２）
次に、本実施形態の変形例２について説明する。変形例２の施錠装置５は、後述の変形例３の施錠装置５ｂ（図１０Ｂ参照）から遮光部６９２ｂを欠いた構成である。変形例２において、所定位置７１に到達した乗りかご４において施錠装置５が開錠状態である場合に、所定位置７１に到達した乗りかご４に設けられた反射部材６９は反射型光電センサ６０から投光される光を反射する。すなわち、掛金５１において反射部材６９が設けられている位置は、反射型光電センサ６０から投光される光の照射範囲６４に含まれる。施錠装置５が施錠状態である場合に、所定位置７１に到達した乗りかご４に設けられた反射部材６９は、反射型光電センサ６０から投光される光の光軸６３上に無い。すなわち、施錠装置５が開錠状態から施錠状態に変化するときに、掛金５１が回転又は変位して、それに伴って反射部材６９も変位することにより、反射部材６９が設けられている位置は、照射範囲６４から外れるのである。
【００５９】
なお、受金５５は照射部５５１を含んでいなくてもよい。また、掛金５１が回転して変位する構造である場合に、複数の反射部材６９の各々は掛金５１の回転中心（孔５１３）がある側とは反対側の先端付近（レバー５１５の付近）に設けられていることが好ましい。
【００６０】
変形例２に係る観覧車１のその他の構成は、本実施形態における観覧車１と同様である。
【００６１】
反射部材６９が設けられている位置は、所定位置７１に到達した乗りかご４において、施錠装置５が開錠状態であるときは、センサ部３の反射型光電センサ６０からの光の照射範囲６４に含まれる。反射部材６９はセンサ部３からの光を反射して、センサ部３は反射部材６９で反射された光を検出する。したがって、判定部６２２は、施錠装置５が開錠状態であると判定する。また、施錠装置５が開錠状態から施錠状態に変わるときに、掛金５１が回転又は変位することにより反射部材６９は変位し、反射部材６９はセンサ部３からの光の照射範囲６４から外れる。そのため、施錠装置５が施錠状態であるときは、反射部材６９はセンサ部３からの光を反射しないので、センサ部３は光を検出しない。したがって、判定部６２２は、施錠装置５が開錠状態ではないと判定する。
【００６２】
（変形例２の効果）
上記の構成では、変形例１と同様に、乗りかご４が所定位置７１に到達していて、尚かつ施錠装置５が開錠状態であるときにのみ、検知装置６は施錠装置５が開錠状態であると検知する。また、乗りかご４が所定位置７１に到達していないときに反射型光電センサ６０が投光すると、検知装置６は、施錠装置５の状態を開錠状態として検知しないので、施錠装置５に異常が生じていないとして扱うことができる。
【００６３】
（変形例３）
次に、本実施形態の変形例３について図１０Ｂを参照しながら説明する。変形例３において、反射型光電センサ６０は、所定位置７１に到達した乗りかご４に設けられた施錠装置５ｂが施錠状態である場合（図１０Ｂで掛金５１ｂが仮想線で示す位置にあるとき）にのみ、所定位置７１に到達した乗りかご４に設けられた反射部材６９ｂで反射される光を検出する機能を有する。施錠装置５ｂは遮光部６９２ｂを更に含む。複数の反射部材６９ｂの各々は掛金５１ｂに設けられている。所定位置７１に到達した乗りかご４において施錠装置５ｂが施錠状態である場合に、所定位置７１に到達した乗りかご４に設けられた反射部材６９ｂは、反射型光電センサ６０から投光される光を反射する。所定位置７１に到達した乗りかご４において施錠装置５ｂが開錠状態である場合（図１０Ｂで掛金５１ｂが実線で示す位置にあるとき）に、所定位置７１に到達した乗りかご４に設けられた反射部材６９ｂは、前記反射型光電センサ６０から投光される光の光軸６３上において、所定位置７１に到達した乗りかご４に設けられた遮光部６９２ｂよりも反射型光電センサ６０から離れた位置で遮光部６９２ｂと重なる。すなわち、反射型光電センサ６０からの光は遮光部６９２ｂにより遮られて、反射部材６９ｂを照射しない。
【００６４】
制御部８０は反射型光電センサ６０のＯＮ・ＯＦＦを制御する機能を有する。制御部８０は、乗りかご４が所定位置７１に到達したときは反射型光電センサ６０に投光を開始させ、乗りかご４が所定位置７１から離れたときは反射型光電センサ６０に投光を停止させる。
【００６５】
より具体的には、例えば、遮光部６９２ｂは乗りかご本体４１ｂに設けられている。遮光部６９２ｂは、乗りかご本体４１ｂから突出するように設けられた受止め部６９３ｂと、遮光部本体６９４ｂとを有する。受止め部６９３ｂは、乗りかご本体４１ｂに対して垂直な直方体状である。遮光部本体６９４ｂは、矩形平板状であり、受止め部６９３ｂと一体に形成されている。遮光部本体６９４ｂは、受止め部６９３ｂの突出する向きの先端から、受止め部６９３ｂの突出する向きとは垂直な向きに延びて設けられている。施錠装置５ｂが開錠状態のときには、掛金５１ｂが受ける重力や、掛金５１ｂがばねを内蔵している場合にはばねの力によって、掛金５１ｂが受止め部６９３ｂに接触した状態となる。これにより、掛金５１ｂは一部が遮光部６９２ｂと乗りかご本体４１ｂとの間に位置する。
【００６６】
変形例３に係る観覧車１のその他の構成は、本実施形態における観覧車１と同様である。
【００６７】
上記の構成において、乗りかご４が所定位置７１に到達したとき、制御部８０は、センサ部３の反射型光電センサ６０に投光を開始させ、施錠装置５ｂの状態を検知する。具体的には、センサ部３は、図１０Ｂにおける位置６９１ｂへ投光する。施錠装置５ｂが施錠状態のときは、反射部材６９ｂは位置６９１ｂにあるので、反射部材６９ｂはセンサ部３からの光を反射する。センサ部３は反射部材６９ｂで反射された光を検出するので、判定部６２２は、施錠装置５ｂが施錠状態であると判定する。施錠装置５ｂが開錠状態のときは、センサ部３からの光は遮光部６９２ｂにより遮られて反射部材６９ｂに到達せず、センサ部３は光を検出しないため、判定部６２２は、施錠装置５ｂが開錠状態であると判定する。乗りかご４が所定位置７１から離れると、センサ部３は投光を停止する。
【００６８】
なお、変形例３において、掛金５１ｂは扉４２ｂに設けられていて、受金５５ｂは乗りかご本体４１ｂに設けられていてもよい。又は、扉４２ｂは２枚の戸を有していて、上記２枚の戸がそれぞれ異なる向きに変位して扉４２ｂが開閉する構成であってもよく、掛金５１ｂ及び受金５５ｂはそれぞれ、上記２枚の戸の各々に設けられていてもよい。また、受金５５ｂは照射部５５１を含んでいなくてもよい。
【００６９】
（変形例３の効果）
変形例３においても、本実施形態と同様に、施錠装置５ｂが開錠状態であって、乗りかご４が所定位置７１に到達したときは、検知装置６は施錠装置５ｂが開錠状態であると検知する。一方で、施錠装置５ｂが施錠状態であって、乗りかご４が所定位置７１に到達したときは、検知装置６は施錠装置５ｂの状態を開錠状態として検知しない。これにより、変形例３の検知装置６は、乗りかご４が所定位置７１に到達していて、尚かつ施錠装置５ｂが開錠状態であるときにのみ、検知装置６は施錠装置５ｂが開錠状態であると検知することができる。
【００７０】
さらに、上記の構成においては、反射部材６９ｂが設けられた掛金５１ｂを、扉４２ｂに設けることもできる。その場合に、扉４２ｂが開くことによって、反射部材６９ｂが設けられている掛金５１ｂが扉４２ｂと共に変位して、反射部材６９ｂが設けられている位置が照射範囲６４ｂから外れる。反射部材６９ｂは、反射型光電センサ６０から投光される光を反射せず、反射型光電センサ６０は光を検出しない。したがって、判定部６２２は、施錠装置５ｂが開錠状態であると判定する。
【００７１】
つまり、掛金５１ｂが扉４２ｂに設けられている場合に、乗りかご４が所定位置７１に到達したときに扉４２ｂが開いているという異常な事態である場合も、施錠装置５ｂが開錠状態である場合と同様に、検知装置６により異常を検知することができる。なお、掛金５１ｂが乗りかご本体４１ｂに設けられている場合にも同様に、扉４２ｂが開いている状態のときに、反射部材６９ｂは反射型光電センサ６０から投光される光を反射しないので、検知装置６により異常を検知することができる。また、上述の通り、変形例３の検知装置は、２枚の戸がそれぞれ異なる向きに変位する扉に設けることができるという効果もある。
【００７２】
さらに、変形例１の効果と同様に、センサ部３の反射型光電センサ６０から投光される光の照射範囲６４ｂは、施錠装置５が施錠状態であるときの反射部材６９ｂの位置６９１ｂを含んでいればよい。つまり、照射範囲６４ｂに含まれる必要がある範囲は位置６９１ｂ付近に限定される。したがって、変形例３においては、センサ部３がそれぞれ備える反射型光電センサ６０の個数を減らすことができる。
【００７３】
（変形例４）
次に、本実施形態の変形例４について、図１１を参照しながら説明する。変形例４において、反射型光電センサ６０は、所定位置７１に到達した乗りかご４に設けられた施錠装置５ｃが施錠状態である場合（図１１で掛金５１ｃが仮想線で示す位置にあるとき）にのみ、所定位置７１に到達した乗りかご４に設けられた反射部材６９ｃで反射される光を検出する機能を有する。複数の反射部材６９ｃの各々は乗りかご本体４１ｃ、扉４２ｃ、又は掛金５１ｃの取付部材５２ｃのいずれかに設けられている。所定位置７１に到達した乗りかご４において施錠装置５ｃが施錠状態である場合に、所定位置７１に到達した乗りかご４に設けられた反射部材６９ｃは、反射型光電センサ６０から投光される光を反射する。所定位置７１に到達した乗りかご４において施錠装置５ｃが開錠状態である場合（図１１で掛金５１ｃが実線で示す位置にあるとき）に、所定位置７１に到達した乗りかご４に設けられた反射部材６９ｃは、反射型光電センサ６０から投光される光の光軸６３上において、所定位置７１に到達した乗りかご４に設けられた掛金５１ｃよりも反射型光電センサ６０から離れた位置で掛金５１ｃと重なる。すなわち、反射型光電センサ６０からの光は掛金５１ｃにより遮られて、反射部材６９ｃを照射しない。
【００７４】
制御部８０は反射型光電センサ６０のＯＮ・ＯＦＦを制御する機能を有する。制御部８０は、乗りかご４が所定位置７１に到達したときは反射型光電センサ６０に投光を開始させ、乗りかご４が所定位置７１から離れたときは反射型光電センサ６０に投光を停止させる。
【００７５】
より具体的には、例えば、反射部材６９ｃは乗りかご本体４１ｃに設けられている。乗りかご本体４１ｃには受止め部６９３ｃが更に設けられていてもよい。受止め部６９３ｃは、乗りかご本体４１ｃから突出するように設けられている。受止め部６９３ｃは、乗りかご本体４１ｃに対して垂直な直方体状である。施錠装置５ｃが開錠状態のときには、掛金５１ｃが受ける重力や、掛金５１ｃがばねを内蔵している場合にはばねの力によって、掛金５１ｃが受止め部６９３ｃに接触した状態となる。これにより、反射部材６９ｃは、乗りかご本体４１ｃと掛金５１ｃとの間に位置する。
【００７６】
変形例４に係る観覧車１のその他の構成は、本実施形態における観覧車１と同様である。
【００７７】
上記の構成において、乗りかご４が所定位置７１に到達したとき、制御部８０は、センサ部３の反射型光電センサ６０に投光を開始させ、施錠装置５ｃの状態を検知する。具体的には、センサ部３は反射部材６９ｃへ向かって投光する。施錠装置５ｃが施錠状態のときは、反射部材６９ｃはセンサ部３からの光を反射して、センサ部３は反射部材６９ｃで反射された光を検出する。したがって、判定部６２２は、施錠装置５ｃが施錠状態であると判定する。施錠装置５ｃが開錠状態のときは、センサ部３からの光は掛金５１ｃにより遮られて反射部材６９ｃに到達せず、センサ部３は光を検出しないため、判定部６２２は、施錠装置５ｃが開錠状態であると判定する。乗りかご４が所定位置７１から離れると、センサ部３は投光を停止する。
【００７８】
なお、変形例４においても、変形例３と同様に、掛金５１ｃは扉４２ｃに設けられていて、受金５５ｃは乗りかご本体４１ｃに設けられていてもよい。又は、扉４２ｃは２枚の戸を有していて、上記２枚の戸がそれぞれ異なる向きに変位して扉４２ｃが開閉する構成であってもよく、掛金５１ｃ及び受金５５ｃはそれぞれ、上記２枚の戸の各々に設けられていてもよい。また、受金５５ｃは照射部５５１を含んでいなくてもよい。
【００７９】
（変形例４の効果）
変形例４においても、変形例３の効果と同様に、施錠装置５ｃが開錠状態であって、乗りかご４が所定位置７１に到達したときは、検知装置６は施錠装置５ｃが開錠状態であると検知する。一方で、施錠装置５ｃが施錠状態であって、乗りかご４が所定位置７１に到達したときは、検知装置６は施錠装置５ｃの状態を開錠状態として検知しない。これにより、変形例４の検知装置６は、乗りかご４が所定位置７１に到達していて、尚かつ施錠装置５ｃが開錠状態であるときにのみ、検知装置６は施錠装置５ｃが開錠状態であると検知することができる。
【００８０】
さらに、変形例１の効果と同様に、センサ部３がそれぞれ備える反射型光電センサ６０の個数を減らすことができる。すなわち、反射部材６９ｃが設けられている位置は、施錠装置５ｃが施錠状態であるときと開錠状態であるときとの間で変位しない。そのため、センサ部３の反射型光電センサ６０から投光される光の照射範囲６４ｃが小さい場合でも、乗りかご４が所定位置７１に到達したとき、照射範囲６４ｃは、反射部材６９ｃが設けられている部分を含む。
【００８１】
（変形例５）
次に、本実施形態の変形例５について説明する。変形例５の施錠装置５は、変形例３の施錠装置５ｂ（図１０Ｂ参照）から遮光部６９２ｂを欠いた構成である。変形例５において、反射型光電センサ６０は、所定位置７１に到達した乗りかご４に設けられた施錠装置５が施錠状態である場合にのみ、所定位置７１に到達した乗りかご４に設けられた反射部材６９で反射される光を検出する機能を有する。所定位置７１に到達した乗りかご４において施錠装置５が施錠状態である場合に、所定位置７１に到達した乗りかご４に設けられた反射部材６９は、反射型光電センサ６０から投光される光を反射する。すなわち、掛金５１において反射部材６９が設けられている位置は、反射型光電センサ６０から投光される光の照射範囲６４に含まれる。所定位置７１に到達した乗りかご４において施錠装置５が開錠状態である場合に、所定位置７１に到達した乗りかご４に設けられた反射部材６９は、反射型光電センサ６０から投光される光の光軸６３上に無い。すなわち、施錠装置５が施錠状態から開錠状態に変化するときに、掛金５１が回転又は変位して、それに伴って反射部材６９も変位することにより、反射部材６９が設けられている位置は、照射範囲６４から外れるのである。
【００８２】
制御部８０は反射型光電センサ６０のＯＮ・ＯＦＦを制御する機能を有する。制御部８０は、乗りかご４が所定位置７１に到達したときは反射型光電センサ６０に投光を開始させ、乗りかご４が所定位置７１から離れたときは反射型光電センサ６０に投光を停止させる。
【００８３】
なお、受金５５は照射部５５１を含んでいなくてもよい。また、掛金５１が回転して変位する構造である場合に、複数の反射部材６９の各々は掛金５１の回転中心（孔５１３）がある側とは反対側の先端付近（レバー５１５の付近）に設けられていることが好ましい。
【００８４】
変形例５に係る観覧車１のその他の構成は、本実施形態における観覧車１と同様である。
【００８５】
上記の構成において、乗りかご４が所定位置７１に到達したとき、制御部８０は、センサ部３の反射型光電センサ６０に投光を開始させ、施錠装置５の状態を検知する。具体的には、センサ部３は乗りかご４へ向かって投光する。施錠装置５が施錠状態のときは、反射部材６９が設けられている位置は、センサ部３からの光の照射範囲６４に含まれる。そのため、反射部材６９はセンサ部３からの光を反射して、センサ部３は反射部材６９で反射された光を検出する。したがって、判定部６２２は、施錠装置５が施錠状態であると判定する。また、施錠装置５が施錠状態から開錠状態に変わるときに、掛金５１が回転又は変位することにより反射部材６９は変位し、反射部材６９は、センサ部３からの光の照射範囲６４から外れる。したがって、施錠装置５が開錠状態のときは、反射部材６９は、センサ部３からの光を反射しないので、センサ部３は光を検出しない。したがって、判定部６２２は、施錠装置５が開錠状態であると判定する。乗りかご４が所定位置７１から離れると、センサ部３は投光を停止する。
【００８６】
なお、変形例５においても、変形例３と同様に、掛金５１は扉４２に設けられていて、受金５５は乗りかご本体４１に設けられていてもよい。又は、扉４２は２枚の戸を有していて、上記２枚の戸がそれぞれ異なる向きに変位して扉４２が開閉する構成であってもよく、掛金５１及び受金５５はそれぞれ、上記２枚の戸の各々に設けられていてもよい。
【００８７】
（変形例５の効果）
変形例５においても、変形例３の効果と同様に、施錠装置５が開錠状態であって、乗りかご４が所定位置７１に到達したときは、検知装置６は施錠装置５が開錠状態であると検知する。一方で、施錠装置５が施錠状態であって、乗りかご４が所定位置７１に到達したときは、検知装置６は施錠装置５の状態を開錠状態として検知しない。これにより、変形例３の検知装置６は、乗りかご４が所定位置７１に到達していて、尚かつ施錠装置５が開錠状態であるときにのみ、検知装置６は施錠装置５が開錠状態であると検知することができる。
【００８８】
さらに、変形例１の効果と同様に、センサ部３がそれぞれ備える反射型光電センサ６０の個数を減らすことができる。なぜなら、センサ部３の反射型光電センサ６０から投光される光の照射範囲６４は、施錠装置５が施錠状態であるときにのみ反射部材６９を含んでいればよく、照射範囲６４として必要な大きさが小さく限定されるためである。
【００８９】
（変形例６）
変形例３から変形例５までにおいて、位置検出器８３は、乗りかご４が所定位置７１に到達したとき、判定部６２２へ信号を送信して、判定部６２２は、前記信号を受信することによって、乗りかご４が所定位置７１に到達していると判定してもよい。さらに、判定部６２２は、乗りかご４が所定位置７１に到達していると判定して、かつ、所定位置７１に到達した乗りかご４において施錠装置５が開錠状態であると判定したときに、最終的に、施錠装置５が開錠状態であると判定する機能を有していてもよい。なお、変形例６においては、観覧車１は制御部８０を備えていなくてもよい。
【００９０】
（変形例７）
本実施形態、及び変形例１から変形例６までにおいて、掛金５１は扉４２に設けられていて、受金５５は乗りかご本体４１に設けられていてもよい。
【００９１】
さらに、反射型光電センサ６０は支持部材等に取り付けられてプラットフォーム７の上方に設けられていてもよい。これにより、反射型光電センサ６０が視界に入りにくくなり、観覧車１の美観が保たれる。すなわち、反射型光電センサ６０はプラットフォーム７以外の位置に設けられていてもよい。
【００９２】
さらに、反射部材６９は例えば板状であってもよい。すなわち、反射部材６９はテープ状でなくてもよい。
【００９３】
さらに、観覧車１は位置検出器８３を備えていなくてもよい。また、観覧車１は報知器８４を備えていなくてもよい。さらに、本実施形態、及び変形例１、変形例２において、観覧車１は制御部８０を備えていなくてもよい。
【００９４】
上述の各構成であっても、本実施形態と同様に、乗りかご４の施錠装置５の状態を検知するために乗りかご４に設けるべき部材の数が少ない。また、乗りかご４の構成が一般的な乗りかごと比較しても複雑ではない。特に、既存の乗りかご４が施錠装置５を有する場合は既存の乗りかご４に反射部材６９を設けることのみによって上記の構成を実現できる。したがって、既存の乗りかご４に後付けすることが容易である。
【００９５】
（変形例８）
本実施形態、及び変形例１から変形例７までにおいて、所定位置７１を通過した乗りかご４が到達する固定位置に、１又は複数の反射型光電センサが更に設けられていてもよい。さらに、施錠装置５が開錠状態である場合に回転輪２を停止する停止装置が更に設けられていてもよい。上記固定位置は、乗りかご４が乗込み位置７２に到達してから、乗りかご４が更に進み到達する位置である。より具体的には、上記固定位置は、例えば、乗りかご４がプラットフォーム７から出ていく位置（図３においてはプラットフォーム７の左端）付近である。上記停止位置は、例えば、プラットフォーム７において上記固定位置の近傍である。上記１又は複数の反射型光電センサは、各々が反射型光電センサ６０と同様の構成であって、上記停止位置に到達した乗りかご４の施錠装置５が開錠状態であるか否かを検出するために設けられている。すなわち、上記反射型光電センサは、乗りかご４に設けられている反射部材６９に光を投光して、反射部材６９で反射された光を検出する。さらに、判定部６２２によって施錠装置５が開錠状態であるか否かが判定される。
【００９６】
上述の通り、本実施形態、及び変形例１から変形例７までにおいて設けられている検知装置６は、所定位置７１に到達した乗りかご４の施錠装置５の状態を検知する。判定部６２２は、いずれかの施錠装置５が開錠状態であると判定すると、報知器８４へ信号９２を送信する。報知器８４は、判定部６２２から信号９２を受信すると、ブザーを鳴らすなどして、施錠装置５が開錠状態であることを係員へ知らせる。その後、乗りかご４は、上記停止位置に到達する。
【００９７】
変形例８についての以下の説明では、具体例として本実施形態に変形例８を適用した場合を考える。上記のように、乗りかご４が上記停止位置に到達するまでに、該当する乗りかご４の施錠装置５が施錠状態にされた場合は、乗りかご４が上記停止位置に到達したとき、上記反射型光電センサが投光する光は、反射部材６９において反射されない。上記反射型光電センサは光を検出しないので、判定部６２２は、施錠装置５が開錠状態ではないと判定する。一方で、乗りかご４が上記停止位置に到達して、上記反射型光電センサが乗りかご４に投光するまでに、該当する乗りかご４の全ての施錠装置５が施錠状態にされなかった場合は、上記反射型光電センサが乗りかご４に投光する光は、反射部材６９で反射される。さらに、上記反射型光電センサは、反射部材６９で反射された光を検出するので、判定部６２２は、施錠装置５が開錠状態であると判定する。したがって、判定部６２２は上記停止装置へ信号を送信する。上記停止装置は、判定部６２２から信号を受信すると、回転輪２の回転を停止させる。
【００９８】
このように、変形例８では、いずれかの施錠装置５が開錠状態である場合に、所定位置７１においてブザーを鳴らすことに加えて、もしも乗りかご４が上記停止位置に到達したときにいずれかの施錠装置５が開錠状態である場合には、回転輪２が停止する。そのため、より確実に乗りかご４の施錠し忘れに対処できる。
【００９９】
なお、上記固定位置又は上記固定位置の近傍に、新たに位置検出器が設けられていてもよい。上記位置検出器は乗りかご４が上記停止位置に到達したことを検出して、制御部８０に信号を送信する。制御部８０は上記位置検出器から信号を受信すると、上記反射型光電センサに投光を開始させる。
【０１００】
（変形例９）
本実施形態、及び変形例１から変形例８までにおいて、施錠装置５は掛金５１にばねが設けられていて、施錠装置５が開錠状態の場合に、掛金５１がばねの作用によって施錠装置５における特定の位置に来るよう構成されていてもよい。また、ばねは掛金５１に内蔵されていてもよい。
【０１０１】
上記の構成により、例えば、図１０Ｂを参照すると、施錠装置５ｂが開錠状態であるときに、掛金５１ｂが図１０Ｂで実線で示されている位置に安定して位置するようになる。したがって、掛金５１ｂに設けられている反射部材６９ｂもまた、図１０Ｂで実線で示されている位置に安定して位置するようになる。そのため、施錠装置５ｂが開錠状態であるときに、反射型光電センサ６０から投光される光がより確実に遮光部６９２ｂで遮られて、施錠装置５ｂの状態をより確実に検知できる。
【０１０２】
あるいは、本実施形態であれば、開錠状態のときに反射部材６９は例えば、図１で示されている位置にある。反射部材６９がほかの位置にある場合は、ばねの力により掛金５１が回転して、やはり反射部材６９は、図１で示されている位置に変位する。したがって、反射型光電センサ６０は、図１における反射部材６９の位置を照射すれば、施錠装置５が開錠状態であるか否かを検出できる。よって、より確実に施錠装置５の状態を検知できる。あるいは、１つのセンサ部３における反射型光電センサ６０の台数を減らすことができる。
【０１０３】
（変形例１０）
本実施形態、及び変形例１から変形例９までにおいて、施錠装置５は掛金が左右に変位して受金に挿入されることにより扉４２を施錠する閂錠であってもよい。
【０１０４】
さらに、施錠装置５として、ドアノブの取っ手部分を回転させることにより扉４２の側面から掛金が現れて、受金に嵌まって扉４２を施錠する構造の、ハンドル錠などであってもよい。その場合、反射部材６９は上記取っ手部分や上記取っ手部分の取付部材、乗りかご本体４１又は扉４２などに設けられる。
【０１０５】
さらに、各々の乗りかご４における複数の施錠装置５のうち少なくとも１つに反射部材６９が設けられていればよい。すなわち、複数の施錠装置５のうち反射部材６９が設けられていない施錠装置５があってもよい。その場合であっても、少なくとも１つの施錠装置５が施錠状態であるか否かを検知装置６が検知できる。
【０１０６】
さらに、判定部６２２は、いずれか１つ以上の施錠装置５が開錠状態であると判定したときではなく、全ての施錠装置５が開錠状態であると判定したときに、報知器８４に信号９２を送信する機能を有していてもよい。
【０１０７】
さらに、制御部８０は、位置検出器８３からの信号によらずに、駆動装置２２による回転輪２の回転を制御している装置から、回転輪２の回転速度に関する信号を受信して利用することによって、乗りかご４が所定位置７１に到達したか否かを判定し、反射型光電センサ６０に投光を開始させる機能を有していてもよい。
【０１０８】
さらに、制御部８０は、反射型光電センサ６０が投光を開始してから所定時間が経過すると反射型光電センサ６０に投光を停止させる機能を有していてもよい。上記所定時間は、乗りかご４が所定位置７１に到達して、いずれかの反射型光電センサ６０から投光される光が乗りかご４における反射部材６９が設けられている位置を照射してから、いずれの反射型光電センサ６０から投光される光も乗りかご４における反射部材６９が設けられている位置を照射しなくなるまでに要する時間に設定される。
【０１０９】
さらに、制御部８０は、反射型光電センサ６０の投光する機能のＯＮ・ＯＦＦを制御することに代えて、反射型光電センサ６０が反射部材６９で反射された光を検出する機能のＯＮ・ＯＦＦを制御する機能を有していてもよい。
【０１１０】
なお、以上説明した実施形態は本発明の一例である。このため、本発明はこれらの実施形態に限定されず、本発明の趣旨を逸脱しない範囲において種々の変形が可能である。
【符号の説明】
【０１１１】
１  観覧車
２  回転輪
２２  駆動装置
４  乗りかご
４１  乗りかご本体
４２  扉
５  施錠装置
５１  掛金
５５  受金
６  検知装置
６０  反射型光電センサ
６３  光軸
６９  反射部材
７  プラットフォーム
７１  所定位置
７２  乗込み位置
８０  制御部
８３  位置検出器
８４  報知器
５５１  照射部
６２２  判定部
【図１】
0006448091.tif 000002
【図２】
0006448091.tif 000003
【図３】
0006448091.tif 000004
【図４】
0006448091.tif 000005
【図５】
0006448091.tif 000006
【図６】
0006448091.tif 000007
【図７】
0006448091.tif 000008
【図８】
0006448091.tif 000009
【図９】
0006448091.tif 000010
【図１０】
0006448091.tif 000011
【図１１】
0006448091.tif 000012